(57)【要約】【課題】ユーザインタフェース装置の背面にスピーカを設けた場合にそのスピーカから放音された音をユーザに聞こえやすくする。【解決手段】ユーザインタフェース装置の背面に設けられたスピーカと、ユーザインタフェース装置を支持する支持体と、支持体に設けられたホーン部と、支持体内部に形成され、スピーカの放音領域からホーン部に繋がる空間である空間部とを備える。これにより、背面に向けて配置したスピーカから放音される音を効率的にユーザに届けることができる。【選択図】図２
2019062335.tif 000002
【特許請求の範囲】
【請求項１】
ユーザインタフェース装置の背面に設けられたスピーカと、
前記ユーザインタフェース装置を支持する支持体と、
前記支持体に設けられたホーン部と、
前記支持体内部に形成され、前記スピーカの放音領域から前記ホーン部に繋がる空間である空間部と
を備えることを特徴とする放音装置。
【請求項２】
前記支持体は、
前記ユーザインタフェース装置の姿勢又は位置が変化したときに前記支持体内部の前記空間が前記支持体の外部空間に露出しない構造になっている
ことを特徴とする請求項１記載の放音装置。
【請求項３】
前記支持体は、
前記ユーザインタフェース装置の姿勢又は位置が変化したときに前記空間を形成する複数の部材の間に生じる隙間を、前記支持体の外部空間に対して塞ぐ部材を備える
ことを特徴とする請求項１記載の放音装置。
【請求項４】
前記部材は、
前記ユーザインタフェース装置の姿勢又は位置が変化したときに前記空間を形成する複数の部材の間に生じる隙間を、前記ユーザインタフェース装置の姿勢又は位置の変化に追随して、前記支持体の外部空間に対して塞ぐように動く可動部材である
ことを特徴とする請求項３記載の放音装置。
【請求項５】
前記可動部材は、
前記ユーザインタフェース装置の姿勢又は位置の変化に追随して位置及び姿勢が変化する第１の可動部材と、
前記第１の可動部材に連結され、前記ユーザインタフェース装置の姿勢又は位置の変化に追随して位置が変化する第２の可動部材とを含む
ことを特徴とする請求項４記載の放音装置。
【請求項６】
前記支持体は、
前記スピーカの放音領域から前記ホーン部に繋がる空間において、当該スピーカから放音された音を前記ホーン部がある方向に反射する反射部材を備える
ことを特徴とする請求項１〜５のいずれか１項に記載の放音装置。
【請求項７】
前記支持体は、金属部材と当該金属部材を覆う樹脂部材とによって構成され、
前記ホーン部は、樹脂部材によって形成され、前記支持体を構成する前記樹脂部材に接続されている
ことを特徴とする請求項１〜６のいずれか１項に記載の放音装置。
【請求項８】
前記支持体を構成する金属部材は、当該金属部材を覆う前記樹脂部材に対して凹んだ形状の凹部を備え、
前記ホーン部は、前記凹部に配置されている
ことを特徴とする請求項７記載の放音装置。
【請求項９】
前記ホーン部は背面側から正面側に向って広がる形状を有する
ことを特徴とする請求項７に記載の放音装置。
【請求項１０】
請求項１〜９のいずれか１項に記載の放音装置と、
前記ユーザインタフェース装置と、
前記放音装置による放音を制御する放音制御部と
を備えることを特徴とする画像形成装置。
【請求項１１】
自装置の上部にある筐体面と前記ユーザインタフェース装置との間に前記ホーン部が設けられている
ことを特徴とする請求項１０記載の画像形成装置。
【請求項１２】
前記ホーン部は自装置の上部にある筐体面よりも上に設けられている
ことを特徴とする請求項１０又は１１に記載の画像形成装置。
【請求項１３】
請求項１〜９のいずれか１項に記載の放音装置と、
前記ユーザインタフェース装置と、
前記放音装置による放音を制御する放音制御部と
を備えることを特徴とする電子機器。
【発明の詳細な説明】
【技術分野】
【０００１】
本発明は、放音装置、画像形成装置及び電子機器に関する。
【背景技術】
【０００２】
例えば画像形成装置等の電子機器においては、ユーザに対する各種の報知や情報提供を行うためにスピーカが実装されていることがある。特許文献１には、表示ユーザインタフェース装置の背面側にスピーカを設けて、周波数特性の劣化および音量の低下を抑制することが開示されている。特許文献２には、表示ユーザインタフェース装置の後方に配置されたスピーカから放出された音を表示ユーザインタフェース装置の前側に導く構成が開示されている。
【先行技術文献】
【特許文献】
【０００３】
【特許文献１】特開２０１２−１５６９８７号公報
【特許文献１】特開２０１４−１７１０４９号公報
【発明の概要】
【発明が解決しようとする課題】
【０００４】
本発明の目的は、ユーザインタフェース装置の背面にスピーカを設けた場合にそのスピーカから放音された音をユーザに聞こえやすくすることにある。
【課題を解決するための手段】
【０００５】
請求項１の放音装置は、ユーザインタフェース装置の背面に設けられたスピーカと、  前記ユーザインタフェース装置を支持する支持体と、前記支持体に設けられたホーン部と、前記支持体内部に形成され、前記スピーカの放音領域から前記ホーン部に繋がる空間である空間部とを備えることを特徴とする。
【０００６】
請求項２の放音装置は、請求項１記載の構成において、前記支持体は、前記ユーザインタフェース装置の姿勢又は位置が変化したときに前記支持体内部の前記空間が前記支持体の外部空間に露出しない構造になっている。
【０００７】
請求項３の放音装置は、請求項１記載の構成において、前記支持体は、前記ユーザインタフェース装置の姿勢又は位置が変化したときに前記空間を形成する複数の部材の間に生じる隙間を、前記支持体の外部空間に対して塞ぐ部材を備える。
【０００８】
請求項４の放音装置は、請求項３記載の構成において、前記部材は、前記ユーザインタフェース装置の姿勢又は位置が変化したときに前記空間を形成する複数の部材の間に生じる隙間を、前記ユーザインタフェース装置の姿勢又は位置の変化に追随して、前記支持体の外部空間に対して塞ぐように動く可動部材である。
【０００９】
請求項５の放音装置は、請求項４記載の構成において、前記可動部材は、前記ユーザインタフェース装置の姿勢又は位置の変化に追随して位置及び姿勢が変化する第１の可動部材と、前記第１の可動部材に連結され、前記ユーザインタフェース装置の姿勢又は位置の変化に追随して位置が変化する第２の可動部材とを含む。
【００１０】
請求項６の放音装置は、請求項１〜５のいずれか１項に記載の構成において、前記支持体は、前記スピーカの放音領域から前記ホーン部に繋がる空間において、当該スピーカから放音された音を前記ホーン部がある方向に反射する反射部材を備える。
【００１１】
請求項７の放音装置は、請求項１〜６のいずれか１項に記載の構成において、前記支持体は、金属部材と当該金属部材を覆う樹脂部材とによって構成され、前記ホーン部は、樹脂部材によって形成され、前記支持体を構成する前記樹脂部材に接続されている。
【００１２】
請求項８の放音装置は、請求項７記載の構成において、前記支持体を構成する金属部材は、当該金属部材を覆う前記樹脂部材に対して凹んだ形状の凹部を備え、前記ホーン部は、前記凹部に配置されている。
【００１３】
請求項９の放音装置は、請求項７記載の構成において、前記ホーン部は背面側から正面側に向って広がる形状を有する。
【００１４】
請求項１０の画像形成装置は、請求項１〜９のいずれか１項に記載の放音装置と、前記ユーザインタフェース装置と、前記放音装置による放音を制御する放音制御部とを備えることを特徴とする。
【００１５】
請求項１１の画像形成装置は、請求項１０記載の構成において、自装置の上部にある筐体面と前記ユーザインタフェース装置との間に前記ホーン部が設けられている。
【００１６】
請求項１２の画像形成装置は、請求項１０又は１１１記載の構成において、前記ホーン部は自装置の上部にある筐体面よりも上に設けられている。
【００１７】
請求項１３の電子機器は、請求項１〜９のいずれか１項に記載の放音装置と、前記ユーザインタフェース装置と、前記放音装置による放音を制御する放音制御部とを備えることを特徴とする。
【発明の効果】
【００１８】
請求項１、１０，１３の発明によれば、ユーザインタフェース装置の背面にスピーカを設けた場合にそのスピーカから放音された音がユーザに聞こえやすくなる。
請求項２の発明によれば、ユーザインタフェース装置の姿勢又は位置が変化したときに支持体内部の空間が支持体の外部空間に露出する構造に比べて、音が空間の外に漏れる可能性が小さい。
請求項３の発明によれば、空間を形成する複数の部材の間に生じる隙間を部材で塞ぐことができる。
請求項４，５の発明によれば、ユーザインタフェース装置の姿勢又は位置に追随して動く可動部材で隙間を防ぐことができる。
請求項６の発明によれば、反射部材が無い場合に比べて、ホーン部から放音される音の音質を向上させることができる。
請求項７の発明によれば、金属部材による強度と樹脂部材によるデザインの自由度とを両立できる。
請求項８の発明によれば、ホーン部を金属部材と樹脂部材とで構成することができる。
請求項９の発明によれば、正面側に対して音圧を高めて放音することができる。
請求項１１、１２の発明によれば、上部の筐体面で音が反射しづらくなる。
【図面の簡単な説明】
【００１９】
【図１】画像形成装置の外観の構成を示す図
【図２】画像形成装置においてユーザインタフェース装置が正面を向いているときの断面図
【図３】画像形成装置においてユーザインタフェース装置が正面を向いているときの断面斜視図
【図４】画像形成装置においてユーザインタフェース装置が上方を向いているときの断面図
【図５】画像形成装置においてユーザインタフェース装置が上方を向いているときの断面斜視図
【図６】画像形成装置においてユーザインタフェース装置が下方を向いているときの断面図
【図７】画像形成装置においてユーザインタフェース装置が下方を向いているときの断面斜視図
【図８】ホーン部の鉛直方向断面図
【発明を実施するための形態】
【００２０】
［実施形態］
図１は、本発明の一実施形態である画像形成装置１００の外観の構成を示す図である。画像形成装置１００は、電子写真方式のプリンタであり、本発明に係る電子機器の一例に相当するものである。画像形成装置１００は、ユーザの操作を受け付けたり画像を表示したりするためのユーザインタフェース装置１１０を備えるとともに、ユーザインタフェース装置１１０により受け付けられた操作に応じて画像を形成する画像形成部やその制御を行う制御部をその内部に備える。なお、画像形成装置１００において、当該装置を操作するユーザが居る側を「正面側」とし、その反対側を「背面側」とする。
【００２１】
ユーザインタフェース装置１１０は、所定の厚さの板状の形状であり、その正面側にタッチスクリーン１１３を備えている。ユーザインタフェース装置１１０は、画像形成装置１００の本体１０１に対して柱状の支持体１１１によって支持される。支持体１１１には、正面側に開口部が向けられたホーン部１１２が設けられている。ユーザインタフェース装置１１０の内部には、図示せぬスピーカがその放音面を背面側に向けた状態で配置されている。スピーカから放音された音は支持体１１１内の空間を通過してホーン部１１２から画像形成装置１００の正面側へと放射される。ホーン部１１２は、正面側に居るユーザから見てユーザインタフェース装置１１０によって隠れない位置、具体的には、ユーザインタフェース装置１１０の下方であって画像形成装置１００の最上部の筐体面である上面１１４よりも上方の位置に配置されている。ユーザインタフェース装置１１０、支持体１１１及びスピーカによって、本発明の放音装置の一例が構成されている。この放音装置の放音を制御する放音制御部は、画像形成装置１００内の制御部によって実現される。
【００２２】
図２は、画像形成装置１００においてユーザインタフェース装置１１０が正面を向いているときの断面図であり、図３は、画像形成装置１００においてユーザインタフェース装置１１０が正面を向いているときの断面斜視図である。ユーザインタフェース装置１１０の内部には、スピーカ１２１がその放音面を背面側に向けた状態で配置されている。音通過空間部１２２は、支持体１１１の筐体等によって支持体１１１内部に形成されている。音通過空間部１２２は、スピーカ１２１の放音領域からホーン部１１２に繋がる空間である。支持体１１１は、強度確保の観点から用いられる金属部材１２６と、デザインや質感の観点から、金属部材１２６を覆う樹脂部材１２８とによって構成されている。支持体１１１を構成する金属部材１２６は、当該金属部材１２６を覆う樹脂部材１２８に対して凹み且つ開口した形状の凹部１２７を備え、ホーン部１１２は、その凹部１２７に配置されている。ホーン部１１２は、デザインや質感の観点から樹脂部材によって形成されており、支持体１１１を構成する樹脂部材１２８に接続されている。これにより支持体１１１全体として、デザインや質感の観点で統一感が保たれている。音通過空間部１２２は、ホーン部１１２の開口部によってのみ外部空間とつながっている。
【００２３】
支持体１１１は、音通過空間部１２２において、スピーカ１２１から放音された音をホーン部１１２がある方向に反射する反射部材１２３を備える。
【００２４】
支持体１１１は、ユーザインタフェース装置１１０の姿勢又は位置が変化したときであっても、支持体１１１内部の音通過空間部１２２が支持体１１１の外部空間に露出しない構造になっている。具体的には、支持体１１１は、ユーザインタフェース装置１１０の姿勢又は位置が変化したときに音通過空間部１２２を形成する複数の部材の間に生じる隙間を、支持体１１１の外部空間に対して塞ぐ部材１２４，１２５を備える。このうち、部材１２５は正面側に配置され、部材１２４は背面側に配置されている。部材１２５は、ユーザインタフェース装置１１０の姿勢又は位置が変化したときに音通過空間部１２２を形成する複数の部材の間に生じる隙間を、ユーザインタフェース装置１１０の姿勢又は位置の変化に追随して、支持体１１１の外部空間に対して塞ぐように動く可動部材である。
【００２５】
図４は画像形成装置１００においてユーザインタフェース装置１１０が上方を向いているときの断面図であり、図５は画像形成装置１００においてユーザインタフェース装置１１０が上方を向いているときの断面斜視図である。正面側に配置された部材１２５は、ユーザインタフェース装置１１０の姿勢又は位置の変化に追随して位置及び姿勢が変化する第１の可動部材１２５１１と、ユーザインタフェース装置１１０の姿勢又は位置の変化に追随して位置が変化する第２の可動部材１２５２とを含む。つまり、第１の可動部材１２５１１は、ユーザインタフェース装置１１０の姿勢が上向きになる変化に追随して、図２，３の状態から上方に位置が移動するとともに、その上端が正面側に倒れるように姿勢が変化することで、支持体１１１内の音通過空間部１２２が外部空間に通じないようにする。また、第２の可動部材１２５２は、ユーザインタフェース装置１１０の姿勢が上向きになる変化に追随して、図２，３の状態から上方に位置が移動することで、支持体１１１内の音通過空間部１２２が外部空間に通じないようにする。
【００２６】
さらに、可動部材１２５１及び第２の可動部材１２５２は、ユーザインタフェース装置１１０が左右方向に向いた（回転した）ときに、他の部材と干渉してその回転を妨げないように、その少なくとも一部の形状が鉛直方向から見て弧状になっている。この弧状の部分は、ユーザインタフェース装置１１０の左右方向の回転に伴い、支持体１１１の内部を水平方向にスライドする。このとき、ユーザインタフェース装置１１０の姿勢又は位置の変化に追随して支持体１１１内の音通過空間部１２２が外部空間に通じないようになっている。
【００２７】
図６は、画像形成装置１００においてユーザインタフェース装置１１０が下方を向いているときの断面図であり、図７は、画像形成装置１００においてユーザインタフェース装置１１０が下方を向いているときの断面斜視図である。第１の可動部材１２５１は、ユーザインタフェース装置１１０の姿勢又は位置の変化に追随して位置及び姿勢が変化し、第２の可動部材１２５２は、ユーザインタフェース装置１１０の姿勢又は位置の変化に追随して位置が変化する。つまり、第１の可動部材１２５１１は、ユーザインタフェース装置１１０の姿勢が下向きになる変化に追随して、図２，３の状態から下方に位置が移動することで（或いは図４，５の状態からその上端が背面側に起き、さらに下方に位置が移動することで）、支持体１１１内の音通過空間部１２２が外部空間に通じないようにする。また、第２の可動部材１２５２は、ユーザインタフェース装置１１０の姿勢が下向きになる変化に追随して、図２，３の状態から下方に位置が移動することで、支持体１１１内の音通過空間部１２２が外部空間に通じないようにする。また、このとき、部材１２４は、ユーザインタフェース装置１１０の姿勢又は位置が変化したときに音通過空間部１２２を形成する複数の部材の間に生じる隙間の位置に配置されているから、音通過空間部１２２を支持体１１１の外部空間に対して塞ぐようになっている。
【００２８】
以上の実施形態によれば、支持体１１１内の空間が音通過空間部１２２及びホーン部１１２の一部として活用される。ホーン部１１２による指向性を持たせることで、不特定多数の人に音を伝えるのではなく、画像形成装置１００の正面側に居るユーザに対して小さい音でも音圧を高めて届けることができる。
【００２９】
また、本来、スピーカはユーザに向けて配置したいところだが、タッチスクリーンを主体としたフラットなデザインと厚みの制約から、ユーザインタフェース装置の背面に配置するのが望ましい。ここで、ユーザインタフェース装置の背面にスピーカを配置してカバーで隠すようにすると、こもった音になり心地よい音にはならない。仮に音がこもらないためのスリットを設けたとしても、ユーザインタフェース装置自体がユーザとの間の障害物となり、心地よい音を届けることができないばかりでなく、その穴からユーザインタフェース装置本体に異物やほこりが入る懸念がある。スピーカ自体のハーネスを延長して支持体下部に配置することも考えられるが、延長ハーネスによるコストアップやユーザインタフェース装置交換時の作業性悪化などの問題がある。以上の実施形態によれば、これらの問題が解消される。
【００３０】
［変形例］
本発明の実施の形態は、上述した実施形態に限定されるものではなく、例えば、以下に示す形態であってもよい。また、これらの形態は、必要に応じて、併用したりその一部を置き換えたりすることによって、互いに組み合わされてもよい。
【００３１】
（１）ホーン部は、いわゆる円錐形状でなくてもよく、背面側から正面側に向って広がる形状を有していればよい。図８（Ａ）に示すように、正面に向って階段状に広がる形状であってもよいし、図８（Ｂ）に示すように、ホーン部の上部だけが正面に向って広がる形状であってもよいし、図８（Ｃ）に示すように、ホーン部の下部だけが正面に向って広がる形状であってもよい。図８（Ａ）、（Ｂ）の構成は、図８（Ｃ）の構成に比べて、音が画像形成装置の上面との間で反響しにくい。図８（Ｃ）の構成は、図８（Ａ）、（Ｂ）の構成に比べて、ホーン部のなかに埃が入りにくい。
【００３２】
（２）本発明の電子機器は、電子写真方式のプリンタに限定されない。本発明の電子機器は、スピーカとユーザインタフェース装置と支持体と放音制御部とを備えるものであれば、いかなるものであってもよい。本発明の電子機器に該当し得るものとしては、例えば、スキャナ、ファクシミリ装置、洗濯機、テレビ受像機などである。
【符号の説明】
【００３３】
１００  画像形成装置、１１０  ユーザインタフェース装置、１１１  支持体１１１ホーン部，１１３  タッチスクリーン、１１４  上面、１２１  スピーカ部、１２２  音通過空間、１２３  反射部材、１２４  部材、１２５  部材  １２５１  第１の可動部材１２５１２  第２の可動部材。
【図１】
2019062335.tif 000003
【図２】
2019062335.tif 000004
【図３】
2019062335.tif 000005
【図４】
2019062335.tif 000006
【図５】
2019062335.tif 000007
【図６】
2019062335.tif 000008
【図７】
2019062335.tif 000009
【図８】
2019062335.tif 000010